(57)【要約】【課題】上下に長い回転体でも、スムーズに回転させることができるようする。【解決手段】物品を保持する回転体２を、枠体１により垂直方向の軸線を中心として回転自在に支持する回転式棚において、前記枠体１の上部に横架材３を架設し、回転体２の上部から延出した垂心紐４を横架材３に掛けて、横架材３から垂心紐４を介し回転体２を吊り下げることにより、回転体２の荷重を支持し、回転体２の下端中心部に、枠体１の底部から上方へ延びる振止軸５を挿入する。上下に長い紙製の回転体２が物品の荷重等で撓んでも、抵抗を受けることなく、スムーズに回転する。【選択図】図１
2011000157.tif 000002
【特許請求の範囲】
【請求項１】
物品を保持する回転体(2)を、枠体(1)により垂直方向の軸線を中心として回転自在に支持する回転式棚において、前記枠体(1)の上部に横架材(3)を架設し、回転体(2)の上部から延出した垂心紐(4)を横架材(3)に掛けて、横架材(3)から垂心紐(4)を介し回転体(2)を吊り下げることにより、回転体(2)の荷重を支持し、回転体(2)の下端中心部に、枠体(1)の底部から上方へ延びる振止軸(5)を挿入したことを特徴とする回転式棚。
【発明の詳細な説明】
【技術分野】
【０００１】
この発明は、物品を保持する回転体を回転させて、物品を見やすい角度に位置づけることができる回転式棚に関するものである。
【背景技術】
【０００２】
従来、下記特許文献１には、薬品庫として、図６に示すように、扉付の箱から成る枠体５１の内部に、薬瓶を保持する複数の円盤状回転体５２を設け、これらの回転体５２を、枠体５１内の底面から天面にかけて垂直に立設された支持軸５３により回転自在に支持したものが記載されている。
【０００３】
また、店頭で商品を陳列する際には、この薬品庫と同様、枠体の底面から天面にかけて垂直に立設された支持軸により、商品を保持する回転体を回転自在に支持し、枠体の前面及び側面を開放した回転式棚が使用される。
【先行技術文献】
【特許文献】
【０００４】
【特許文献１】特開２００４−１５４３１４号公報
【発明の概要】
【発明が解決しようとする課題】
【０００５】
しかしながら、上記のように、支持軸で回転体を支持する回転式棚では、上下に並ぶ回転体を一体化して紙で形成した場合、回転体が撓むと、支持軸と回転体との摩擦が大きくなり、回転体がスムーズに回転しなくなるという問題がある。
【０００６】
そこで、この発明は、上下に長い回転体でも、スムーズに回転させることができるようすることを課題とする。
【課題を解決するための手段】
【０００７】
上記課題を解決するため、この発明は、物品を保持する回転体を、枠体により垂直方向の軸線を中心として回転自在に支持する回転式棚において、前記枠体の上部に横架材を架設し、回転体の上部から延出した垂心紐を横架材に掛けて、横架材から垂心紐を介し回転体を吊り下げることにより、回転体の荷重を支持し、回転体の下端中心部に、枠体の底部から上方へ延びる振止軸を挿入したのである。
【発明の効果】
【０００８】
この発明に係る回転式棚では、回転体を横架材から垂心紐で吊り下げることにより、浮き上がらせた状態で回転自在に支持し、回転体の下部を振止軸で振れ止めしたので、上下に長い紙製の回転体が商品の荷重等で撓んでも、抵抗を受けることなく、回転体をスムーズに回転させることができる。
【図面の簡単な説明】
【０００９】
【図１】この発明に係る回転式棚の全体斜視図
【図２】同上の枠体の本体部のブランクを示す図
【図３】同上の回転体及び付属部材のブランクを示す図
【図４】同上の回転式棚の上部分解斜視図
【図５】同上の底面側から見た下部分解斜視図
【図６】従来の回転式棚の斜視図
【発明を実施するための形態】
【００１０】
以下、この発明の実施形態を添付図面に基づいて説明する。
【００１１】
図１に示すように、この回転式棚は、薬局・薬店等の店頭において、化粧品のスプレー缶等の商品Ｇの陳列に使用するものであり、上下に長い枠体１と回転体２とから構成される。回転体２は、５段のトレー２５に商品を保持して、枠体１により垂直方向の軸線を中心として回転自在に支持される。
【００１２】
図２においては、枠体１の本体部１０を形成する板紙製のブランクが示されている。このブランクでは、前板１１の一側に側板１２及び幅の異なる大小２枚の後板１３が順次連設され、他側に側板１２及び継代片１４が順次連設されている。前板１１及び側板１２の上下端には、端片１１ａ、１２ａがそれぞれ連設され、大きい後板１３の上端には天板１５が連設され、下端には２枚の底板１６が順次連設されている。
【００１３】
また、天板１５には、後板１３との境界に沿って、スリット状の差込穴１５ａが設けられ、先端縁から切込を入れて紐穴１５ｂが設けられている。底板１６には、後述する振止軸５の位置決めに用いる目印１６ａが僅かな切目を入れて設けられている。
【００１４】
図３においては、枠体１を形成する部材として、本体部１０の上部に取り付けられる天部材１７の板紙製のブランクと、天部材１７に挿入される補強部材１８の積層合紙製のブランクとが示されている。
【００１５】
天部材１７のブランクは、サック箱状のものであり、このブランクには、一対の棒穴１７ａ、紐穴１７ｂ及び差込片１７ｃが設けられている。また、補強部材１８のブランクには、天部材１７の棒穴１７ａと連通する棒穴１８ａが設けられている。
【００１６】
また、図３においては、回転体２を形成する部材として、回転柱部２０の板紙製のブランクと、回転柱部２０の上下に取り付けられる積層合紙製の補強板２３，２４と、トレー２５の板紙製のブランクと、仕切２６の板紙製のブランクとが示されている。
【００１７】
回転柱部２０のブランクでは、２枚１組とした柱板２１が芯板２２を介して３組連設され、一側の芯板２２に継代片２１ｃが連設されている。芯板２２の上端には、扇状の貼着片２２ａが連設されている。隣接する柱板２１の境界部には縦長スリット状の差込穴２１ａが、各柱板２１には横長スリット状の差込穴２１ｂがそれぞれ５段設けられている。
【００１８】
補強板２３は円板とされ、その中心に紐穴２３ａが設けられている。また、補強板２４も円板とされ、その中心に軸穴２４ａが、軸穴２４ａの回りに３個の紐穴２４ｂがそれぞれ設けられている。
【００１９】
トレー２５のブランクには、周壁をなす帯状部分に差込片２５ａが、底壁をなす扇状部分に差込片２５ｂがそれぞれ設けられている。また、仕切２６のブランクには、２枚重ねて起立させる立上部２６ａが設けられている。トレー２５のブランクは、５段のトレーを形成するため、５枚用意され、仕切２６のブランクは、各段のトレーに３枚ずつ使用するため、１５枚用意される。
【００２０】
上記のような各部材のブランクから図１に示すような回転式棚を組み立てるには、枠体１の本体部１０のブランクにおいて、大きい後板１３から一方の側板１２、前板１１及び他方の側板１２を巻き込むように折り曲げて、継代片１４を大きい後板１３に貼り付け、後板１３同士を貼り合わせる。
【００２１】
次に、本体部１０の上端及び下端の端片１２ａ及び１１ａを順次閉じ、天板１５を水平方向に折り曲げて、上方の端片１１ａに貼り付け、底板１６を２枚貼り合わせ、水平方向に折り曲げて、下方の端片１１ａに貼り付ける
【００２２】
また、天部材１７を箱状に組み立てると共に、補強部材１８の両端部を二枚貼り合わせて垂直方向に折り曲げ、その状態で補強部材１８を、端面を開口させた天部材１７に挿入し、天部材１７の端面を閉じる。
【００２３】
このとき、図４に示すように、長尺の垂心紐４をループ状にして、そのループ部分を紐穴１７ｂに差し込み、プラスチック製の丸型パイプから成る横架材３を棒穴１７ａ，１８ａに差し込んで、垂心紐４のループ部分を横架材３に掛ける。
【００２４】
そして、天部材１７を天板１５の上面に貼り付けて、差込片１７ｃを差込穴１５ａに差し込むと共に、垂心紐４を天板１５の切込を介して紐穴１５ｂに挿通する。
【００２５】
また、回転柱部２０のブランクにおいて、隣接する柱板２１同士を貼り合わせ、継代片２１ｃを、反対側の柱板２１の間に挟み込んで、その柱板２１に貼り付け、柱板２１同士が周方向に１２０°の間隔をなすようにし、上端の貼着片２２ａを折り返して、寄り合った３枚の貼着片２２ａに補強板２３を貼り付ける。
【００２６】
また、回転柱部２０の周囲に、トレー２５のブランクの周壁部分を巻き付け、重ね合わせた差込片２５ａを差込穴２１ａに差し込み、底壁部分を内側へ折り曲げて、差込片２５ｂを差込穴２１ｂに差し込む。
【００２７】
次に、仕切２６のブランクの立上部２６ａを貼り合わせて起立させ、仕切２６をトレー２５の底壁に載せる。
【００２８】
その後、このように組み立てた回転体２の上部において、天板１５の紐穴１５ｂから下方へ延びる垂心紐４を、紐穴２３ａを介して、回転柱部２０の上端中心部の３枚の芯板２２に囲まれた空洞部分に挿通する。
【００２９】
続いて、図５に示すように、回転体２の下部において、回転柱部２０の下端から下方へ延びる垂心紐４の各端部を、補強板２４の軸穴２４ａ及び紐穴２４ｂを介し補強板２４の上面又は下面に引き出して、先金４ａにより紐穴２４ｂから抜け止めする。
【００３０】
そして、枠体１の底板１６の上面に、プラスチック製の振止軸５の台座部を両面接着テープ等で目印１６ａに合わせて貼り付けることにより、振止軸５を立設し、回転体２を持ち上げつつ、補強板２４の軸穴２４ａを介して、回転柱部２０の下端中心部の３枚の芯板２２に囲まれた空洞部分に挿入し、回転体２を下降させる。
【００３１】
最後に、図１に示すように、天部材１７から突出した横架材３の両端部に、吊紐６を取り付けると、回転式棚の組み立てが完了する。
【００３２】
このように組み立てた回転式棚を使用して、店頭で商品Ｇを陳列する際には、陳列什器の吊棒等から回転式棚を吊紐６を介して吊り下げ、各段のトレー２５において、仕切２６の立上部２６ａ間に商品Ｇを載せ、商品Ｇを陳列する。或いは、店頭の陳列台等に回転式棚を載置して、倒れないように固定する。
【００３３】
上記のような回転式棚では、回転体２を、横架材３から垂心紐４で吊り下げることにより、浮き上がらせた状態で回転自在に支持すると共に、回転体２の上下全長に亘って挿通した垂心紐４により、回転体２の全体的な軸振れをある程度許容しつつ規制し、回転体２の下部を振止軸５で振れ止めしたので、上下に長い紙製の回転体２が商品Ｇの荷重等で撓んでも、抵抗を受けることなく、回転体２をスムーズに回転させることができ、店内の買物客が商品Ｇを見やすい角度に自由に位置づけることができる。
【００３４】
なお、上記実施形態では、横架材３として、プラスチック製のパイプを使用したが、横架材３には、紙管を使用してもよい。また、振止軸５として、プラスチック製のものを使用したが、紙管を使用しても、振止軸５と回転体２との間には、遊びが設けられていることから、回転体２のスムーズな回転が損なわれることがない。
【符号の説明】
【００３５】
１  枠体
２  回転体
３  横架材
４  垂心紐
４ａ  先金
５  振止軸
６  吊紐
１０  本体部
１１  前板
１１ａ  端片
１２  側板
１２ａ  端片
１３  後板
１４  継代片
１５  天板
１５ａ  差込穴
１５ｂ  紐穴
１６  底板
１６ａ  目印
１７  天部材
１７ａ  棒穴
１７ｂ  紐穴
１７ｃ  差込片
１８  補強部材
１８ａ  棒穴
２０  回転柱部
２１  柱板
２１ａ，２１ｂ  差込穴
２１ｃ  継代片
２２  芯板
２２ａ  貼着片
２３  補強板
２３ａ  紐穴
２４  補強板
２４ａ  軸穴
２４ｂ  紐穴
２５  トレー
２５ａ，２５ｂ  差込片
２６  仕切
２６ａ  立上部
Ｇ  商品
【図１】
2011000157.tif 000003
【図２】
2011000157.tif 000004
【図３】
2011000157.tif 000005
【図４】
2011000157.tif 000006
【図５】
2011000157.tif 000007
【図６】
2011000157.tif 000008